(57)【特許請求の範囲】
【請求項１】
機器外枠の下部に配設され、下方に接地部を形成し、上方に外周にネジ等の凹凸部を有する軸部を形成した脚と、該脚のネジ等の凹凸部を軸支孔に挿通させる取付用ケースと、該取付用ケース内に軸支される回転軸と前記脚の凹凸部と係合する凹凸部を備えたロックピースと、取付用ケース内とロックピースの間に取り付けられ、ロックピースをロックする方向に付勢する圧縮バネにより、該ロックピースの凹凸部と脚の凹凸部を係合させて脚の上下方向の移動をロックする手段と、取付用ケース内に収納され、圧縮バネの押圧力に逆らってロックピースを回動させる押しボタンあるいはレバーを備え、押しボタンを押し込むあるいはレバーを回動することによってそのロックを解除する手段とを備え、取付用ケース内に設けられたロックピースの回転軸を軸支する軸受け溝からなる軸受けは長孔に形成されて回転軸が上下に移動可能に軸支されており、機器の自重がかかったとき、回転軸は軸受け溝の上端にあって、ロックピースが他部材との当接や嵌合により回転しないように固定して前記ロックを解除する手段の誤動作を防止するロック固定手段を形成しているとともに、機器を手で持ち上げたとき、ロックピースの回転軸が軸受け溝の下方に移動して前記ロックピースが他部材と当接しなくなってあるいは嵌合が外れてロック解除手段が動作できるようになる機器用調整脚。
【発明の詳細な説明】
【０００１】
【発明の属する技術分野】
本発明は、洗濯機やプロジェクタ（投影機）等の電子・電機機器を床面や、机上に配置する場合に、機器の傾きを調節するために使用される機器用調整脚に関する。
【０００２】
【従来の技術】
従来、洗濯機、オフィスチェア等の高さ調整のため多用されている方法としては、ナットをゆるめ、ボルトを回して高さ調整をして、ナットを締め付ける方法や、レバーを引けば、自然に座面が浮き上がって好みの高さに固定できるガススプリングによる上下機構があげられるが、前者は高さ調整作業に手間がかかり、後者はコストが高価になる欠点があった。そこで安価でかつ簡便な作業で高さ調整が行える調整脚として、特開平２−７４２９８号公報に記載されているように、調整ツマミ（レバー）を回動することにより、調整つまみ内径部に配された分壁の径を大小に変化させ脚の上下方向の移動をロックしたり、阻止したりするものや、本出願人が特願平８−２１６８４４号で出願したように押しボタンとカムを組み合わせて押しボタンをケース内に摺動することによりカム溝に従ってロックピースが拡開または縮径して脚の上下方向の移動をロックしたり、そのロックを解除したりすることができるものが発明されている。
【０００３】
【発明が解決しようとする課題】
しかしながら、従来の調整脚は、誤って脚の上下方向の移動のロックを解除するレバーや押しボタンに何かが当たったりしたとき、ロックが解除され不用意に高さが変わってしまうことがあり、再度高さ調整をする手間がかかることがないものや、使用する機器が重量物の場合安全性を付加することが望まれていた。
【０００４】
本発明は、上記のような問題点を解消するためなされたもので、ロックを解除するレバーや押しボタンに何かが当たっても容易にロック解除せず、高さが変わらず、不用意に落下することがない機器用調整脚を提供することを目的とする。
【０００５】
【課題を解決するための手段】
本発明は、その目的を達成するため次のような構成を採用している。
【０００６】
つまり、本発明の機器用調整脚は、機器外枠の下部に配設され、下方に接地部を形成し、上方に外周にネジ等の凹凸部を有する軸部を形成した脚と、該脚のネジ等の凹凸部を軸支孔に挿通させる取付用ケースと、該取付用ケース内に軸支される回転軸と前記脚の凹凸部と係合する凹凸部を備えたロックピースと、取付用ケース内とロックピースの間に取り付けられ、ロックピースをロックする方向に付勢する圧縮バネにより、該ロックピースの凹凸部と脚の凹凸部を係合させて脚の上下方向の移動をロックする手段と、取付用ケース内に収納され、圧縮バネの押圧力に逆らってロックピースを回動させる押しボタンあるいはレバーを備え、押しボタンを押し込むあるいはレバーを回動することによってそのロックを解除する手段とを備え、取付用ケース内に設けられたロックピースの回転軸を軸支する軸受け溝からなる軸受けは長孔に形成されて回転軸が上下に移動可能に軸支されており、機器の自重がかかったとき、回転軸は軸受け溝の上端にあって、ロックピースが他部材との当接や嵌合により回転しないように固定して前記ロックを解除する手段の誤動作を防止するロック固定手段を形成しているとともに、機器を手で持ち上げたとき、ロックピースの回転軸が軸受け溝の下方に移動して前記ロックピースが他部材と当接しなくなってあるいは嵌合が外れてロック解除手段が動作できるようになるものである。
【０００７】
【発明の実施の形態】
次に本発明に係わる機器用調整脚の実施の形態（以下、「実施例」という）を添付図面に基づいて説明する。図１は機器用調整脚の分解斜視図を示すものであり、図２は組立てた状態のロック固定時の正面図であり、図３はロック解除手段が動作できるようにしたときの断面図であり、図４はロックを解除した時の正面図であり、図５は同断面図である。なお、図３から図５と後述する図７と図９においては、機器２２を省略している。
【０００８】
機器用調整脚２１は、機器２２の底部に設けた取付凹部２３に取り付けられる上部ケース２４と下部ケース２５とからなる取付用ケ−スと、上部ケース２４と下部ケース２５との間に前後に摺動可能に収納される押しボタン２６と、上部ケース２４と下部ケース２５との間に軸支され、後述する脚２９の凹凸部３６と係合する凹凸部２８を有するロックピース２７と、前記機器の取付凹部２３に設けられた取付孔５９と上部ケース２４、下部ケース２５、押しボタン２６、ロックピース２７に同心的に設けた各軸支孔３０、３１、３２、３３に上下動自在に挿通支持される脚２９とからなるものである。なお、押しボタン２６が取付用ケースに押し込まれる方向を後方といい、押しボタン２６が張り出す方向を前方という。
【０００９】
前記脚２９は、下方に径大の接地部３４を形成し、上方に外周にネジ等の凹凸部３６を有する軸部３５を形成し、軸部３５の先端内には抜け止め用のスナップフィット３７を設けている。なお、軸部３５の抜け止め手段は上記実施例に限られるわけではなく、スナップフィット３７に代えてネジやワッシャーを組み合わせたり、軸部３５先端にピンを差し込んだり、あるいは軸部３５先端を径大に形成しても良い。
【００１０】
上部ケース２４には、長手方向上部に機器２２の取付凹部２３に設けられた取付孔５９に外周が嵌まる円筒部３８を設け、該円筒部３８には軸支孔３０を設けるとともに、円筒部３８に続く下方に円筒部３８より拡大された角板状取付部３９を形成している。該角板状取付部３９は後方の両角を面取りした変則の六角形に形成し、取付時に位置合わせが容易にできるようにしている。また、角板状取付部３９には後述する下部ケース２５を取り付けるための係支孔４１を有する係止板４０を外形に沿って下方に向け複数箇所形成している。また、角板状取付部３９のには下方に向けて前後方向に一対の軸受け板４３を形成し、この軸受け板４３先端にはロックピース２６の回転軸４４を支持する（下方に向けて開口した）半円形の軸受け溝４５を形成している。この一対の軸受け板４３の内側を後述するロックピース２７を収納する空間とするとともに、軸受け板４３間の前方が開口されていて、押しボタン２６を前後に摺動操作できるようにしている。さらに天板４６内面には図２に示すように後述するロックピース２６の円弧状に形成した上面が摺動する曲面部４７を形成している。
【００１１】
下部ケース２５は、上部ケース２４の形状に対応し、上方が開口された角筒状で、角筒状の外周部に複数の段部４２を設け、その段部４２に前記上部ケース２４の係止孔４１に係合する係止突起４８を形成している。また、前記上部ケース２４の軸受け板４３の間隔（位置）にあわせて切り欠き４９を設けて、該切り欠き４９から押しボタン２６の一部（把手部５０）がケース２４、２５の外部に突出するよう形成し、ケース２４、２５の外から押しボタン２６を前後に摺動操作できるようにしている。
【００１２】
また、下部ケース２５の底部には、軸支孔３３を設けるとともに、内面には前記上部ケース２４の軸受け溝４５に対応して（上方に向けて開口した）半割状の軸受け溝５１を有する軸受け突起５２を形成して、軸受け溝４５、５１を合わせて後述するロックピース２７の回転軸４４を軸支する軸受けを形成している。この軸受け溝４５、５１からなる軸受けは長孔に形成され、回転軸４４が上下に移動可能に軸支される。
【００１３】
なお、下部ケース２５の角筒状の外周部には、機器２２の取付凹部２３に設けた複数の弾性係止部６０に係合する係合突起６１を複数形成して、ケース２４，２５を取付凹部２３に固定できるようにしている。
【００１４】
前記押しボタン２６は、ケース２４、２５の開口部４２から外部に突出する把手部５０の反対側に軸心に脚２９の軸部３５を挿通する軸支孔３２を有するとともに、軸支孔３２の把手部５０側に自由端を後方に向けた鉤状のストッパ部５３を一対設けている。
【００１５】
前記上部ケース２４の内部に、中央部に軸支孔３１を形成したロックピース２７が収納される。このロックピース２７の外周部には、一対の回転軸４４が設けられ、図１に示した上部ケース２４と下部ケース２５の軸受け溝４５、５１に軸支される。また前記軸支孔３１には脚２９の凹凸部３６と係合する凹凸部２８を形成している（図３参照）とともにロックピース２７にはバネ座５６を設けて、上部ケース２４のバネ座５７とロックピース２７のバネ座５６との間に圧縮バネ５５を取り付け、ロックピース２７をロックする方向に付勢しているので、押しボタン２６が張り出し位置にある時、凹凸部２８は、脚２９の凹凸部３６と係合して脚２９の上下方向の移動をロックする。また、ロックピース２７の底面部６４には押しボタン２６を押し込んで押しボタン２６の後端部６５が当接したとき回動しやすい位置と角度に形成した回動用突起６６が形成されていて、押しボタン２６を圧縮バネ５５の押圧力に逆らって押し込むとロックピース２７は（図４、図５では反時計回りに）回動して凹凸部２８と凹凸部３６の係合を解除することができて高さ調整ができるようになる。また、ロックピース２７には力がかかってもロックピース２７が回転しない位置（かつ前記押しボタン２６のストッパ部５３と対応した位置）に一対のストッパ部５８を設け、機器の自重がかかったとき回転軸４４は軸受け溝４５，５１の上端にあってロックピース２７のストッパ部５８と押しボタン２６の鉤状のストッパ部５３が当接して押しボタン２６の押し込みを阻止して前記解除手段の誤動作を防止するロック固定手段を構成している
【００１６】
次に、本発明実施例に示す機器用調整脚の使い方について説明する。本発明の機器用調整脚を機器に取り付けるには、まず、あらかじめ押しボタン２６の上にロックピース２７を配した後、下部ケース２５の軸受け溝５１と上部ケース２４の軸受け溝４５の間にロックピース２７の回転軸４４が嵌まるようにするとともに、上部ケース２４のバネ座５７と前記ロックピース２７のバネ座５６の間に圧縮バネ５５を取り付けつつ、上部ケース２４の係止孔４１と下部ケース２５の係止突起４８が係合するように上部ケース２４を下部ケース２５に押し込んで、ケース２４、２５内に押しボタン２６とロックピース２７を収納する。その後で、脚２９の軸部３５を前記上部ケース２４、下部ケース２５、押しボタン２６、ロックピース２７に同心的に設けた軸支孔３０、３１、３２、３３に上下動自在に挿通し、上部ケース２４の円筒部３８の段差部６２に脚２９の軸部３５先端のスナップフィット３７を押し込んで、脚を組み立てた後、上部ケース２４と下部ケース２５からなる取付用ケースを機器の取付凹部２３に押し込み、下部ケース２５の係合突起６１を機器２２の取付凹部２３の弾性係止片６０に係合させることにより、取付用ケース、取付用ケースに収納した押しボタン２６、ロックピース２７および仮固定した脚２９ごと機器に固定し、機器用調整脚の取付が完了する。このときロックピース２７は圧縮バネ５５の反発力により、凹凸部２８が脚２９軸部３５の凹凸部３６と係合しており、機器を設置した状態で機器の自重によりロックピース２７の回転軸４４は軸受け溝４５、５１の上端にあって、ロックピース２７のストッパ部５８と押しボタン２６の鉤状のストッパ部５３が当接して押しボタン２６の押し込みを阻止して前記ロック解除手段が誤動作しないように防止し、前記係合が解除できない状態（ロック固定状態）にある。この状態で誤って押しボタン２６を押しても押しボタン２６を押し込むことができないから、高さが変わることがないし、機器２２が落下することもない。
【００１７】
続いて機器用調整脚の高さを調整するには、機器２２を手で持ち上げると、図３に示したようにロックピース２７の回転軸４４が軸受け溝４５、５１の下方に移動して、ロックピース２７のストッパ部５８と押しボタン２６のストッパ部５３とが当接しなくなって解除手段が動作できるようになるので、押しボタン２６を圧縮バネ５５の反発力に逆らって押し込むと押しボタン２６の後端部６５がロックピース２７の回動用突起６６に当接して図４に示したようにロックピース２７は回動して、脚２９軸部３５の凹凸部３６とロックピース２７の凹凸部２８との係合が外れて、図５に示したようにロックが解除される。高さを合わせた後、押しボタン２６から手を離すと押しボタン２６は圧縮バネ５５の反発力によりロックする方向に回動し、ロックピース２７の凹凸部２８が脚２９軸部３５の凹凸部３６と係合して（復元して）、図２に示すように再びロック固定される。
【００１８】
このロック動作において、上部ケース２４の天板４６内面の曲面部４７にロックピース２７の円弧状上面が摺動することにより、スムーズなロック解除及び復元動作を得ることができる。また、上部ケース２４の天板４６内面にロックピース２７の上面部に合わせて曲面部４７を形成したことにより、凹凸部３６、２８ばかりでなくロックピース２７の上面でも可重を受けるようにして可重を分散させてロックピース２７の凹凸部２８にかかる荷重を軽減している。
【００１９】
本発明は上記実施例に限られるわけではなく、例えば上記第一実施例においては、機器を設置した状態で機器の自重によりロックピース２７の回転軸４４を軸受け溝４５、５１の上端に位置させるとともに、ロックピース２７のストッパ部５８と押しボタン２６の鉤状のストッパ部５３とを当接させて押しボタン２６の押し込みを阻止して前記ロック解除手段が誤動作しないように防止し、前記係合が解除できない状態（ロック固定状態）にあるようにしたが、ロックピース２７が回転しないように固定されていれば良く、その例を図６や図７に示す。図６はロック固定時を示す正面図であって、図７はロック解除時の正面図である。
【００２０】
この第二実施例の機器用調整脚はロック固定手段以外は上記第一実施例と同様の構成であって、ロック固定手段は上記第一実施例のストッパ部５３，５８を有する構成に代えて、上部ケース７１の天板４６に嵌合凹部７２を設け、ロックピース７３の上面に前記上部ケース７１の嵌合凹部７２に嵌合する凸起７４を設けた構成としている。図６に示したように、機器の自重がかかっている状態で前記実施例と同様にロックピース７３の回転軸４４は軸受け溝４５、５１の上端にあってロック固定時には上部ケース７１の嵌合凹部７２にロックピース７３の凸起７４が嵌合していて、押しボタン２６を押そうとしてもロックピース７３が回転しないから、押しボタン２６を押し込むことができないようにしている。機器用調整脚の高さを調整するには、機器を手で持ち上げると、ロックピース７３の回転軸４４が軸受け溝４５、５１の下方に移動して、上部ケース７１の嵌合凹部７２とロックピース７３の凸起７４との嵌合が外れてロック解除手段が動作できるようになるので、押しボタン２６を圧縮バネ５５の反発力に逆らって押し込むと押しボタンの後端部６５がロックピース７３の回動用突起６６に当接してロックピース７３は回動して、脚２９軸部３５の凹凸部３６とロックピース７３の凹凸部２８との係合が外れて、図７に示したようにロックが解除され、高さ調整できるようになる。
【００２１】
また、上記各実施例において、取付用ケースは製作上金型構造を簡単にするため、上部ケース２４、７１と下部ケース２５をそれぞれ別体に形成してこれらを組み合わたが、金型構造は複雑になるが、上部ケース２４、７１と下部ケース２５を一体に形成しても良い。
【００２２】
また、上記第一実施例、第二実施例においては、押しボタン２６と押しボタン２６の前後方向への摺動により回転するロックピース２７、７３との組み合わせを示したが、押しボタン２６に代えてレバーでも良い。その例を図８や図９に示す。図８はロック固定時の正面図であり、図９はロック解除時の正面図である。
【００２３】
この第三実施例の機器用調整脚は、押しボタン２６に代えてレバー８１を設けたもので、ロックピース８２をレバー８１に一体化している。ロック固定手段や、その他の構成は前記第二実施例と同様である。図８に示すロック固定状態から機器用調整脚の高さを調整するには、機器を手で持ち上げると、ロックピース７３の回転軸４４が軸受け溝４５、５１の下方に移動して、上部ケース７１の嵌合凹部７２とロックピース７３の凸起７４との嵌合が外れてロック解除手段が動作できるようになるので、レバー８１を圧縮バネ５５の反発力に逆らって回動させるとロックピース８２は回動して、脚２９軸部３５の凹凸部３６とロックピース２７の凹凸部２８との係合が外れて、図９に示したようにロックが解除され、高さ調整ができるようになる。
【００２４】
【発明の効果】
本発明は上記のように構成されているので、次に記載する効果を奏する。
【００２５】
請求項１の発明によれば、機器の自重を利用してロック解除手段が誤動作しないように防止するロック固定手段を備えているので、誤ってロックを解除するレバーや押しボタンに何かが当たっても容易にロック解除せず、高さが変わらず、不用意に落下することがない機器用調整脚を提供することができる。従って、再度高さ調整をする手間がかかることがないし、使用する機器が重量物の場合安全性を付加することができる。
【図面の簡単な説明】
【図１】本発明の第一実施例を示す分解斜視図である。
【図２】本発明の実施例を示すロック固定時の正面図である。
【図３】ロック解除手段が動作できるようにしたときの断面図である。
【図４】ロック解除時の正面図である。
【図５】ロック解除時の断面図である。
【図６】本発明の第二実施例を示すロック固定時の正面図である。
【図７】図６のロック解除時の正面図である。
【図８】本発明の第三実施例を示すロック固定時の正面図である。
【図９】図８のロック解除持の断面図である。
【符号の説明】
２４  上部ケース
２５  下部ケース
２６  押しボタン
２７  ロックピース
２８  ロックピースの凹凸部
２９  脚
３５  軸部
３６  脚の凹凸部
７１  上部ケース
７３  ロックピース
８１  レバー
８２  ロックピース
【図１】
0003698192.tif 000002
【図２】
0003698192.tif 000003
【図３】
0003698192.tif 000004
【図４】
0003698192.tif 000005
【図５】
0003698192.tif 000006
【図６】
0003698192.tif 000007
【図７】
0003698192.tif 000008
【図８】
0003698192.tif 000009
【図９】
0003698192.tif 000010